(57)【要約】【課題】携帯電話側に特定の子機を使用することなく、携帯電話の置き忘れが検知可能な携帯電話置き忘れ防止装置を提供する。【解決手段】携帯電話は、特定番号と自己ＩＤ番号とを含む特定呼出信号を送信する（Ｓ１２）。警告装置には特定番号が格納されており、特定の携帯電話とペアリングされていない場合、特定呼出信号を受信し（Ｓ１３）、格納されている特定番号と照合する（Ｓ１４）。両者が一致した場合、警告装置はペアリングを実行し（Ｓ１６）、その携帯電話をペアリング対象として登録する。ペアを構成した後は、携帯電話が警告装置から所定距離以上離れていないかどうかを監視する。監視は、携帯電話のＩＤ番号の照合によって行われ、ＩＤ番号が不一致の場合やＩＤ番号を取得（受信）できない場合には、ブザー等によって警報を行う。【選択図】図５
2007311907.tif 000002
【特許請求の範囲】
【請求項１】
携帯電話と無線通信によって接続され、前記携帯電話との間の距離が所定距離以上となったとき所定の警報を出力する警告装置を備えてなる携帯電話の置き忘れ防止装置であって、
前記携帯電話は、自己を特定する装置情報を格納した記憶部と、前記装置情報を含む端末認識信号を所定時間間隔にて無線送信すると共に、任意に設定可能な特定番号と前記装置情報とを含む特定呼出信号を無線送信可能な送信部とを有し、
前記警告装置は、前記携帯電話から送信される無線信号を受信する受信部と、前記特定番号を格納可能な記憶部と、前記記憶部に格納された前記特定番号を含む前記特定呼出信号を受信したとき、前記特定呼出信号から前記携帯電話の装置情報を取得し該装置情報を前記記憶部内に格納する情報登録部と、前記携帯電話との間が所定距離以上となったとき前記警報を出力する離間監視部とを有することを特徴とする携帯電話の置き忘れ防止装置。
【請求項２】
請求項１記載の携帯電話の置き忘れ防止装置において、前記離間監視部は、前記記憶部に格納された前記携帯電話の装置情報と、受信した前記端末認識信号に含まれる前記装置情報とを照合し、両者が一致しない状態が所定回以上存在するとき、又は、前記端末認識信号を受信できなくなったとき、前記警報を出力することを特徴とする携帯電話の置き忘れ防止装置。
【請求項３】
請求項１又は２記載の携帯電話の置き忘れ防止装置において、前記特定番号は、特定の電話番号であることを特徴とする携帯電話の置き忘れ防止装置。
【請求項４】
請求項１〜３の何れか１項に記載の携帯電話の置き忘れ防止装置において、前記警告装置の前記記憶部に格納される前記特定番号を書き換え可能な特番登録部を有することを特徴とする携帯電話の置き忘れ防止装置。
【発明の詳細な説明】
【技術分野】
【０００１】
本発明は、携帯電話の置き忘れ防止装置に関し、特に、携帯電話側に特別な子機を取り付けることなく、携帯電話の置き忘れが検知可能な置き忘れ防止装置に関する。
【背景技術】
【０００２】
現代社会では、携帯電話は、単に電話としての機能に留まらず、カメラやゲームに加え、無線放送の受信（いわゆるワンセグ）など様々な機能を有している。特に、昨今の携帯電話には、例えば、お財布携帯のように、買い物や鉄道等の利用料金の決済機能を備えたものも存在している。このため、携帯電話を紛失すると、所有者は電話機自体の損失を超えた多大な財産的損害を被るおそれがある。さらに、携帯電話内には、電話番号やメールアドレス、通話・通信記録など、種々の個人情報も格納されており、携帯電話の紛失は、個人情報の流出という点でも大きな損害となる。
【０００３】
そこで、従来より、種々の携帯電話紛失装置が提案されており、例えば、特許文献１には、微弱電波を用いた携帯電話の置き忘れ防止装置が示されている。そこでは、携帯電話に微弱電波を発信するトランスミッタと、トランスミッタからの電波を受信しなくなったときに作動するバイブレータを備えたレシーバとが使用され、携帯電話を置き忘れ、レシーバとトランスミッタが離れるとバイブレータが作動し、置き忘れを通知する。従来の置き忘れ防止装置は、基本的にはこの形態を踏襲しており、携帯電話側に取り付けた子機と、子機から発信される微弱電波を受信する親機とから構成され、子機が親機から所定距離以上離れ、受信電波強度が所定値以下に低下すると、親機にて警告が発せされる形式が一般である。
【０００４】
また、このような置き忘れ防止装置では、失報や誤報の発生を防止するため、子機と親機との間に１対１の対応関係を設定する必要がある。すなわち、他の子機との混信により、携帯電話が置き忘れられているにも関わらず警報が発せられなかったり、逆に、携帯電話が近くにあるにも関わらず警報が発せられたりする事態が生じないように、子機と親機との間には、周波数やＩＤ番号等により個別の関係が設定されている。例えば、特許文献６では、親機と子機に対のＩＤ番号を持たせ、親機はＩＤ番号を重畳した高周波信号を一定間隔にて送信し、子機側では、高周波信号を受信してＩＤ番号を認知する（特許文献６では親子関係が逆となっており、携帯電話側に親機が装着される）。このようなＩＤ番号の照合を一定周期ごとに繰り返し、高周波信号の受信範囲を超えたとき、子機側のブザーを鳴動させる。なお、このように親機と子機が個別に対応しているシステムでは、複数人で子機を共有し、１つの子機を異なる複数の親機で使用することは通常行われていない。
【特許文献１】特開平9-327077号公報
【特許文献２】特開平9-128663号公報
【特許文献３】特開平10-344366号公報
【特許文献４】特開平11-196466号公報
【特許文献５】特開2001-237950号公報
【特許文献６】特開2002-204712号公報
【特許文献７】特開2003-249886号公報
【特許文献８】特開2004-86411号公報
【特許文献９】特開2004-260540号公報
【発明の開示】
【発明が解決しようとする課題】
【０００５】
一方、親機と子機を用いた前述のような置き忘れ防止装置では、携帯電話に取り付ける子機自体にも電源が必要となる。このため、通常、子機にはボタン電池等の小型電池が内蔵されており、これを電源として微弱電波の送信が行われている。しかしながら、電池には当然に寿命があり、電池寿命が尽きるとシステムが機能しなくなり、失報が生じるという問題がある。また、電池を内蔵するため子機自体が大きくなり、形態電話使用の邪魔になると共に、デザイン的にも好ましくないという問題もあった。さらに、子機自体を取り付ける作業がそもそも煩雑である、という問題もあった。
【０００６】
かかる問題に対応すべく、特許文献８では、送受信コイルを備えた電子タグを使用した紛失防止装置が示されている。そこでは、信号発信手段（親機）として携帯電話を使用し、携帯電話から発信される信号を受けて電子タグから信号が送信され、それを携帯電話側の受信手段にて受信する。電子タグは貴重品に取り付けられ、この貴重品が所定距離以上離れると、電子タグからの信号が途絶え、その紛失が報知される。しかしながら、特許文献８の紛失防止装置は、電子タグの送受信コイルによる信号発信を利用しているため、電子タグと携帯電話との間の紛失検知距離を大きく取ることができない。従って、携帯電話を当該装置における「貴重品」として電子タグを取り付けた場合、確かに、子機側に電源は必要ないものの、少し距離が離れると警報が発せられ、誤報が多く煩わしいという問題が生じる。
【０００７】
本発明の目的は、携帯電話側に特定の子機を使用することなく、携帯電話の置き忘れが検知可能な携帯電話の置き忘れ防止装置を提供することにある。
【課題を解決するための手段】
【０００８】
本発明の携帯電話の置き忘れ防止装置は、携帯電話と無線通信によって接続され、前記携帯電話との間の距離が所定距離以上となったとき所定の警報を出力する警告装置を備えてなる携帯電話の置き忘れ防止装置であって、前記携帯電話は、自己を特定する装置情報を格納した記憶部と、前記装置情報を含む端末認識信号を所定時間間隔にて無線送信すると共に、任意に設定可能な特定番号と前記装置情報とを含む特定呼出信号を無線送信可能な送信部とを有し、前記警告装置は、前記携帯電話から送信される無線信号を受信する受信部と、前記特定番号を格納可能な記憶部と、前記記憶部に格納された前記特定番号を含む前記特定呼出信号を受信したとき、前記特定呼出信号から前記携帯電話の装置情報を取得し該装置情報を前記記憶部内に格納する情報登録部と、前記携帯電話との間が所定距離以上となったとき前記警報を出力する離間監視部とを有することを特徴とする。
【０００９】
本発明にあっては、警告装置に特定番号を格納すると共に、特定番号を携帯電話から発信する。警告装置は、この特定番号を含む特定呼出信号を受信したとき、特定呼出信号から携帯電話の装置情報を取得し、その装置情報を登録する。これにより、警告装置と携帯電話がペアリングされ、ペアリングされた携帯電話と警告装置との間が所定距離以上となったとき警報を出力する。このように、本発明の置き忘れ防止装置は、特定番号を設定し、特定呼出信号に含まれる特定番号の有無を判断してペアリング対象を判別するので、子機を使用することなく、携帯電話の置き忘れを監視できる。従って、子機の電池切れ問題も解消する。また、子機を取り付ける作業が不要となると共に、子機が邪魔になることもない。
【００１０】
前記携帯電話の置き忘れ防止装置において、前記離間監視部は、前記記憶部に格納された前記携帯電話の装置情報と、受信した前記端末認識信号に含まれる前記装置情報とを照合し、両者が一致しない状態が所定回以上存在するとき、又は、前記端末認識信号を受信できなくなったとき、前記警報を出力するようにしても良い。
【００１１】
また、前記携帯電話の置き忘れ防止装置において、前記特定番号が特定の電話番号であっても良い。さらに、前記警告装置の前記記憶部に格納される前記特定番号を書き換え可能な特番登録部を設けても良い。
【発明の効果】
【００１２】
本発明の携帯電話の置き忘れ防止装置によれば、携帯電話と無線通信によって接続され、携帯電話との間の距離が所定距離以上となったとき所定の警報を出力する警告装置を備えてなる携帯電話の置き忘れ防止装置にて、携帯電話側に、自己を特定する装置情報を格納した記憶部と、この装置情報を含む端末認識信号を所定時間間隔にて無線送信すると共に、任意に設定可能な特定番号と装置情報とを含む特定呼出信号を無線送信可能な送信部とを設け、警告装置側に、携帯電話から送信される無線信号を受信する受信部と、特定番号を格納可能な記憶部と、記憶部に格納された特定番号を含む特定呼出信号を受信したとき、特定呼出信号から携帯電話の装置情報を取得し該装置情報を記憶部内に格納する情報登録部と、携帯電話との間が所定距離以上となったとき警報を出力する離間監視部とを設けたので、子機を使用することなく、携帯電話の置き忘れを監視することが可能となる。従って、子機の電池切れ問題も解消でき、子機によって携帯電話のデザイン性を損なうこともない。
【発明を実施するための最良の形態】
【００１３】
以下、本発明の実施例を図面に基づいて詳細に説明する。図１は、本発明の一実施例である携帯電話の置き忘れ防止装置の全体像を示す説明図である。図１に示すように、本装置では、携帯電話１が置き忘れられ警告装置２から所定距離以上離れると、警告装置２から警告が発せられる。本発明による置き忘れ防止装置では、携帯電話１の使用者が特定の電話番号（特定番号；以下、特番と略記する）に電話をかけると、それを傍受した警告装置２との間で関連付け（ペアリング）がなされる。そして、両者が２〜３ｍ離れると警告装置２がそれを検知し、光や音、振動などによって使用者にその旨を通知する。
【００１４】
携帯電話１は市販の携帯電話機を対象としており、各携帯電話１はそれぞれ固有のＩＤ番号（装置情報：例えば、ABC0001）を有している。スイッチＯＮ状態のとき、携帯電話１は、常時、所定時間間隔で基地局３と交信を行っており、ＩＤ番号を含む端末認識信号を基地局３に対して無線送信している。一方、携帯電話１からある電話番号に電話をかけると、携帯電話１からは、その電話番号とＩＤ番号を含む特定呼出信号が無線送信される。基地局３では、この特定呼出信号を受信すると、相手方の電話番号と携帯電話１との間の回線を接続する。当該置き忘れ防止装置では、警告装置２は、この特定呼出信号を利用して、特定の携帯電話１との間にペアリングを行う。
【００１５】
警告装置２は合成樹脂製の外装となっており、横５０mm×縦４５mm×厚さ１２mmのケース状に形成されている。警告装置２の背面部には、携帯電話使用者のベルトに取り付け可能な固定フック１１が設けられている。警告装置２は電池を電源としており、その前面側には、作動時等に点灯・点滅するＬＥＤランプ１２と、警報音を発するブザー１３、特番入力キー１４及び液晶モニタ１５が配置されている。警告装置２では、特番入力キー１４により、特番を適宜設定可能となっており、現在登録されている特番や登録中の特番も液晶モニタ１５にて確認することができる。また、側面部には、警告装置２の電源スイッチ１６と、リセットボタン１７が配置されており、特番入力キー１４及び液晶モニタ１５と共に操作部２３を形成している。
【００１６】
図２は、携帯電話１と警告装置２の内部構成を示すブロック図である。警告装置２には、警告装置２を制御する制御部２１が設けられている。制御部２１は、乾電池等を使用した電源部２２から電源が供給され、電源スイッチ１６を備えた操作部２３における操作によって作動する。制御部２１内には、制御手段であるＣＰＵ２４と、制御プログラム等が格納されたＲＯＭ２５、作動時におけるデータ（例えば、ペアリングした携帯電話１のＩＤ番号や特番等）が格納されるＲＡＭ（記憶部）２６、計時手段であるタイマ２７、及び、計数手段であるカウンタ２８が設けられている。警告装置２にはまた、携帯電話１からの無線信号を受信する受信部２９と、ＬＥＤランプ１２やブザー１３を備えた出力部３０が設けられている。受信部２９には、図示しない受信アンテナや送信回路、受信回路、Ａ／Ｄ変換器、アッテネータ（信号減衰器）などが配されている。
【００１７】
一方、携帯電話１には、携帯電話１を制御する制御部３１が設けられている。制御部３１は、リチウムイオン電池等を使用した電源部３２から電源が供給される。制御部３１内には、制御手段であるＣＰＵ３４と、制御プログラムや携帯電話１のＩＤ番号等が格納されたＲＯＭ（記憶部）３５、計時手段であるタイマ３７が設けられている。携帯電話１にはまた、操作ボタン４を備えた操作部３３と、基地局３との間の無線通信と行う送受信部３９、モニタ５を備えた出力部４０が設けられている。送受信部３９には、送受信アンテナ６や図示しない送信回路、受信回路、Ａ／Ｄ変換器などが配されており、前述の端末認識信号や特定呼出信号を基地局３に対して送信する。
【００１８】
図３はＣＰＵ２４,３４における制御ブロック図であり、（ａ）はＣＰＵ３４（携帯電話）、（ｂ）はＣＰＵ２４（警告装置）の構成を示している。図３（ａ）に示すように、携帯電話１側のＣＰＵ３４には、認識信号送信部４１と呼出信号送信部４２が設けられている。認識信号送信部４１は、携帯電話１のＩＤ番号を含んだ端末認識信号を基地局３に対し定期的に（例えば、０.１秒間隔で）無線送信する。呼出信号送信部４２は、使用者が操作ボタン４を用いてある電話番号に電話をかけると、その電話番号とＩＤ番号を含んだ特定呼出信号を基地局３に対し無線送信する。
【００１９】
警告装置２側のＣＰＵ２４には、図３（ｂ）に示すように、動作モードを切り替えるモード切替部５１と特番登録部６０が設けられている。モード切替部５１は、電源スイッチ１６がＯＮされると、動作モードを判断し、携帯電話１との間でペアリングを行う「ペアリングモード」と、通常動作時の「監視モード」とを切り替える。「ペアリングモード」では、携帯電話１から出力された特定呼出信号を用いて特定の携帯電話１とペアリングを行う。モード切替部５１は、この「ペアリングモード」を実行する情報登録部５２が接続されている。また、「監視モード」では、携帯電話１から出力された端末認識信号を用いてペアリングされた携帯電話１との間の距離を検知し、携帯電話１の置き忘れを監視する。モード切替部５１には、前述の情報登録部５２と共に、この「監視モード」を実行する離間監視部５３が接続されている。特番登録部６０は、特番入力キー１４から入力された任意の特番をＲＡＭ２６に登録する。
【００２０】
情報登録部５２には、特番照合部５４、ＩＤ認識部５５及びＩＤ登録部５６が設けられている。「ペアリングモード」時には、特番照合部５４にて特番が一致した携帯電話１とペアリングを行い、ペアリング対象となる携帯電話１のＩＤ番号をＩＤ認識部５５にて認識し、それをＩＤ登録部５６によってＲＡＭ２６に格納する。一方、離間監視部５３には、ＩＤ照合部５７、置き忘れ判断部５８、置き忘れ通知部５９が設けられている。「監視モード」時には、定期的に携帯電話１のＩＤ番号が受信され、それがペアリングによって登録されたＩＤ番号と照合される。ＩＤ番号が所定時間受信できない場合や、受信したＩＤ番号が登録ＩＤ番号と一致していない状態が所定回数継続した場合には、置き忘れ判断部５８は、携帯電話１が置き忘れられていると判断し、置き忘れ通知部５９に働きかけ、所定の警告（ＬＥＤランプ１２の点灯，ブザー１３の鳴動等）を実施する。
【００２１】
次に、図４〜７を用いて、当該置き忘れ防止装置の動作について説明する。図４は、本装置における置き忘れ監視処理の全体の流れを示すフローチャートである。図４に示すように、ここではまず、ステップＳ１にて、警告装置２の電源スイッチ１６が投入され装置が起動すると、ステップＳ２にて、特番設定を行う。特番設定は特番入力キー１４を用いて行われ、特番登録部６０により使用者が設定した特番がＲＡＭ２６に格納される。なお、ＲＡＭ２６では、電源スイッチ１６が切られた場合でも、特番やペアリングした携帯電話１のＩＤ番号は消失せず維持される。なお、既に特番が設定されており、その番号をそのまま用いる場合には、特に特番入力キー１４の操作を行わず所定時間（例えば、３秒）が経過した場合、または、特番入力キー１４の＃ボタンを押した場合には、ステップＳ２をスキップして次のステップＳ３に進む。
【００２２】
特番登録後、ステップＳ３に進み、携帯電話１とのペアリングの有無が確認される。特定の携帯電話１と未だペアリングされていない場合には、ステップＳ４に進み「ペアリングモード」に入り、警告装置２と携帯電話１との間でペアリング処理が実施される。ペアリング処理では、携帯電話１からの特定呼出信号に基づき、ペアリング対象となる携帯電話１のＩＤ番号（ABC0001）が警告装置２に登録される。
【００２３】
一方、携帯電話１と既にペアリングされている場合には、ステップＳ５に進み、携帯電話１の置き忘れ監視モードに入る。監視モードでは、携帯電話１が所定距離以上に離れると警告装置２にて警報が発せられる。例えば、図１に示すように、ベンチやタクシー等に携帯電話１を忘れてその場を離れると、２〜３ｍ離れたところで警告装置２のＬＥＤランプ１２が点滅すると共にブザー１３が鳴り、携帯電話使用者に対し携帯電話１を置き忘れた旨を通知する。これにより、使用者は携帯電話１の置き忘れに気付き、改めて携帯電話１を携行することができる。
【００２４】
その後、警告装置２の電源スイッチ１６が切られると（ステップＳ６）、監視モードが終了する。この場合、警告装置２の電源スイッチ１６が切られても、携帯電話１の登録は有効である。なお、警告装置２に別途、ペアリングを解除するクリアスイッチを設けても良い。また、警告装置２では、電池残容量が少なくなった場合には、ＬＥＤランプ１２が１秒間に１回程度の長周期で点滅し、その旨を通知する。
【００２５】
そこで、このような置き忘れ監視処理における、ステップＳ４のペアリングモードと、ステップＳ５の監視モードの処理について、さらに詳しく説明する。図５は、ステップＳ４のペアリングモードの処理手順を示すフローチャートである。図５に示すように、警告装置２のスイッチが投入され特番が登録されると（前記Ｓ１,Ｓ２）、前述のように、ステップＳ３にて、ペアリングの有無が確認される。当該警告装置２が既にペアリングされている場合には、作動モードが「ペアリングモード」に切り替えられることなく、そのままルーチンを抜け、監視モード（Ｓ５）に入る。
【００２６】
これに対し、ステップＳ３にて当該警告装置２が未だペアリングされていない場合には、ステップＳ１１に進み、作動モードが「ペアリングモード」に切り替えられる。その後、ステップＳ１２にて、使用者が携帯電話１を操作し、予め使用者が特番入力キー１４を用いて警告装置２に設定した特番（例えば、0123456789）を呼び出す。これにより、携帯電話１からは、特番を含む特定呼出信号が出力される。一方、警告装置２側では、この特定呼出信号を受信したか否かが確認される（ステップＳ１３）。警告装置２側では、ペアリングを行う際のトリガーとなる特番がＲＯＭ２５に登録されており、警告装置２側では特定呼出信号を受信すると、ステップＳ１４に進み、登録されている特番と、受信した特定呼出信号に含まれる特番とを特番照合部５４にて照合する。ステップＳ１３にて特番を受信しなかった場合には、特番を受信するまで待機する（ステップＳ１３の繰り返し）。
【００２７】
ステップＳ１４にて、登録特番と受信特番が一致しない場合（例えば、登録特番：0987654321，受信特番：0123456789）には、受信した特定呼出信号は、ペアリング対象とすべき携帯電話１から発信されたものではないと判断し、ステップＳ１５に進み、ペアリングを行うことなくルーチンを抜ける。これに対し、登録特番と受信特番が一致した場合（例えば、登録特番＝受信特番：0987654321）には、受信した特定呼出信号は、ペアリング対象とすべき携帯電話１から発信されたものであると判断し、ステップＳ１６に進み、ペアリング処理（登録処理）を実行してルーチンを抜ける。なお、特番の呼出に対しては、相手方が電話に出る必要はなく、呼出のみにて足りる。従って、特番送信時に電話料金は課金されない。
【００２８】
図６は、ステップＳ１６のペアリング処理の手順を示すフローチャートである。図６に示すように、ペアリング処理では、まず、ＩＤ認識部５５によって、受信した特定呼出信号から、携帯電話１のＩＤ番号を抽出し、ペアリング対象ＩＤとして認識する（ステップＳ２１）。前例で言えば、特定呼出信号には、「ABC00010987654321」なる情報が含まれており、そこから、携帯電話１のＩＤ番号である「ABC0001」を抽出する。次に、ステップＳ２２に進み、認識した携帯電話１のＩＤ番号をＩＤ登録部５６によってＲＡＭ２６に格納し、「ABC0001」をペアリング対象として登録する。ＩＤ登録処理の際には、ＬＥＤランプ１２やブザー１３により、登録完了表示（例えば、３秒間の長周期（０.５秒）点滅や３秒間の長周期（０.５秒）小音量鳴動）を行い（ステップＳ２３）、これにより、ペアリング処理が完了し、ルーチンを抜ける。
【００２９】
このようにしてペアリング対象となる子機を登録した後、図４に示すように、監視モード（Ｓ５）が実行される。図７は、ステップＳ５の監視モード処理の手順を示すフローチャートである。図７に示すように、ここでは、まずステップＳ３１にて、携帯電話１が基地局との間で常時交信している端末認識信号を受信しているか否かが判断される。このステップＳ３１では、携帯電話１の端末認識信号かどうかは関係なく、周囲に存在する携帯電話の端末認識信号は全て警告装置２に受信される。従って、端末認識信号が全く受信できない場合には、携帯電話機自体が警告装置２の周囲に存在しないことが推認される。なお、端末認識信号は、警告装置２内に設けたアッテネータによって減衰されており、概ね半径３ｍ以内に存在する携帯電話機からの端末認識信号のみが有効なように設定されている。
【００３０】
そこで、ステップＳ３１にて端末認識信号を受信できなかった場合には、ステップＳ３４に進み、端末認識信号不受信が連続して５回発生しているか否かが判断される。この場合、携帯電話１からは、例えば０.１秒ごとに１回端末認識信号が出力されているはずであり、タイマ２７の計時に基づき、０.６秒を超えて端末認識信号が受信できない場合には、連続５回受信がなかったと判断する。不受信が５回以下の場合は、Ｓ３１に戻り、それでも受信がなく５回連続して端末認識信号を受信できない場合（０.６秒経過）には、ステップＳ３６に進み、置き忘れ判断部５８は、登録した携帯電話１が警告装置２の周辺には存在していない（携帯電話不存在）と判断する。
【００３１】
携帯電話不存在と判断された場合には、置き忘れ通知部５９により、ＬＥＤランプ１２やブザー１３を点滅，鳴動させ、置き忘れを警報し使用者にその旨を通知する（ステップＳ３７）。この際、ＬＥＤランプ１２は、当初の１分間は長周期（０.５秒）、１分を過ぎると短周期（０.２５秒）で点滅する。また、ブザー１３は、当初の１分間は小音量で長い間隔（０.５秒）、１分を過ぎると大音量で間隔が短く（０.２５秒）鳴動する。
【００３２】
ステップＳ３１にて携帯電話１の端末認識信号を受信した場合には、ステップＳ３２に進む。ステップＳ３２では、登録されている携帯電話１のＩＤ番号をＲＡＭ２６から呼び出し、ＩＤ照合部５７によって、受信した端末認識信号に含まれるＩＤ番号と照合する。端末認識信号中のＩＤ番号と登録されているＩＤ番号が一致した場合には、ステップＳ３３に進み、置き忘れ判断部５８は、携帯電話１が所定範囲内に存在していると判断し、使用者が携帯電話１を所持している（置き忘れなし）として、ルーチンを抜ける。
【００３３】
一方、受信したＩＤ番号と登録されているＩＤ番号が一致しない場合は、ステップＳ３５に進み、ＩＤ番号の不一致が連続して５回発生しているか否かが判断される。ステップＳ３２では、ＩＤ番号の不一致が連続発生するとカウンタ２８がインクリメントされ、不一致が５回連続発生した場合（カウンタ＝５）には、ステップＳ３６に進み、置き忘れ判断部５８は、登録した携帯電話１が警告装置２の周辺には存在していない（携帯電話不存在）と判断する。この場合は、ステップＳ３４のケースと異なり、登録されていない他の携帯電話機は存在する可能性があるが、ペアリング対象の携帯電話１は警告装置２の周辺にはない状態を示している。そして、ステップＳ３７に進み、前述同様に、置き忘れ通知部５９によって、携帯電話１の置き忘れを警報する。
【００３４】
置き忘れの警報は、その後、登録された携帯電話１のＩＤ番号が受信されるまで継続され、受信ＩＤ番号と登録ＩＤ番号が一致すると、ステップＳ３２,Ｓ３３に進んで、警報が解除される。また、携帯電話１の電源が入っていない場合にも、Ｓ３１→Ｓ３４→Ｓ３６→Ｓ３７と進んで同様の通知がなされるが、電源を入れるとステップＳ３２,Ｓ３３に進み警報が解除される。この場合、リセットボタン１７を押すことにより警報を解除することもでき、この場合には、改めて図４〜７の処理が実行され、ステップＳ３２,Ｓ３３に進みルーチンを抜ける。
【００３５】
また、当該置き忘れ防止装置では、前述のように、警告装置２の周囲に他の携帯電話１が複数存在していても、ＩＤ番号による識別を行うため、他の携帯電話１と混信し、誤認識することはないが、近傍に多数の携帯電話機が存在する場合には、異なる携帯電話機のＩＤ番号を多数連続受信し、ステップＳ３５,３６に進むおそれがある。この場合は、置き忘れの警報が発せられるが、２〜３ｍ以内に多数の携帯電話機が存在するケースは限られた場所であるため、実用上は差し支えない。さらに、特番に関しても偶然の一致があり得るが、家族間や同僚など近しい関係にある者以外には極めて稀であり、この点についても実用上は問題ない。
【００３６】
このように、本発明の置き忘れ防止装置では、特番を設定し、特定呼出信号に含まれるこの特番の有無を判断することにより、ペアリング対象を判別するようにしたので、携帯電話１側に特別な子機を取り付けることなく、置き忘れを監視することができる。従って、子機側の電池切れの問題が解消し、失報の防止も図られる。また、子機を取り付ける作業が不要となると共に、子機が邪魔になることもなく、携帯電話のデザイン性も損なわれない。
【００３７】
本発明は前記実施例に限定されるものではなく、その要旨を逸脱しない範囲で種々変更可能であることは言うまでもない。
例えば、特番については、電話番号のみならず、特定のキーワードやパスワードを使用しても良い。但し、電話番号を用いる方が簡便で忘れにくく、特に、留守宅の電話番号などを設定しておけば、相手方が電話に出ることがなく便利である。また、電話番号であれば、既存の携帯電話でも必ず基地局と交信を行うため、特に改造等を加えることなく当該装置を使用可能である。また、警告装置２側に登録する特番は、使用者により任意に書き換えることが可能であるが、販売時にＲＯＭ２５に希望の番号を書き込む形態でも良い。さらに、特番の変更は、特番入力キー１４の他、携帯電話１側からの信号により行うことも可能である。なお、特番を携帯電話１との間で固定値とし、任意に変更できない構成とすることも可能である。
【００３８】
一方、ＬＥＤランプ１２やブザー１３による警報や登録通知は、前述のような形態（点滅・鳴動周期や音量等）には限定されず、種々の形態が採用できる。また、警報も音や光のみならず、バイブレータ等を用いて振動によって警報を行っても良い。さらに、前述の実施例では、警告装置２の受信部２９にアッテネータを配置する構成を示したが、受信アンテナを省くことにより、受信感度を故意に低下させ、アッテネータ不要にすることも可能である。なお、本発明は基本的には携帯電話を対象としているが、通信機能を有する携帯端末にも適用可能であり、宅配便やバイク便、タクシー業界などの運輸・流通業、新聞、保険、公共料金等の集金業務等に使用される各種携帯端末にも応用できる。
【図面の簡単な説明】
【００３９】
【図１】本発明の一実施例である携帯電話の置き忘れ防止装置の全体像を示す説明図である。
【図２】携帯電話と警告装置の内部構成を示すブロック図である。
【図３】携帯電話と警告装置のＣＰＵの制御ブロック図であり、（ａ）は携帯電話のＣＰＵ、（ｂ）は警告装置のＣＰＵの構成を示している。
【図４】本装置における置き忘れ監視処理の全体の流れを示すフローチャートである。
【図５】ペアリングモードにおける処理手順を示すフローチャートである。
【図６】ペアリング処理の手順を示すフローチャートである。
【図７】監視モード処理の手順を示すフローチャートである。
【符号の説明】
【００４０】
１    携帯電話
２    警告装置
３    基地局
４    操作ボタン
５    モニタ
６    送受信アンテナ
１１    固定フック
１２    ＬＥＤランプ
１３    ブザー
１４    特番入力キー
１５    液晶モニタ
１６    電源スイッチ
１７    リセットボタン
２１    制御部
２２    電源部
２３    操作部
２４    ＣＰＵ
２５    ＲＯＭ
２６    ＲＡＭ
２７    タイマ
２８    カウンタ
２９    受信部
３０    出力部
３１    制御部
３２    電源部
３３    操作部
３４    ＣＰＵ
３７    タイマ
３９    送受信部
４０    出力部
４１    認識信号送信部
４２    呼出信号送信部
５１    モード切替部
５２    情報登録部
５３    離間監視部
５４    特番照合部
５５    ＩＤ認識部
５６    ＩＤ登録部
５７    ＩＤ照合部
５８    置き忘れ判断部
５９    置き忘れ通知部
６０    特番登録部
【図１】
2007311907.tif 000003
【図２】
2007311907.tif 000004
【図３】
2007311907.tif 000005
【図４】
2007311907.tif 000006
【図５】
2007311907.tif 000007
【図６】
2007311907.tif 000008
【図７】
2007311907.tif 000009